(57)【要約】【課題】パラメータ設定ユニットの外観を損なうことなく、かつ支点とコネクタの距離が小さなメインケースであっても、その回転操作により着脱可能とする。【解決手段】パラメータ設定ユニットは、パラメータ回路５を収容するメインケースＭ１とダミーケースＤとから構成される。ダミーケースＤは、メインケースＭ１とほぼ同じ大きさに形成され、メインケースＭ１とダミーケースＤとを一体に連結された状態で、本体ハウジングの所定のスペースに嵌め込んで、コネクタ２がソケットと嵌合する。コネクタ２をソケットから抜き出す場合、メインケースＭ１の押圧板１０を作用点とし、メインケースＭ１から最も離れたダミーケースＤの下面に形成された爪１１を支点として回転させる。【選択図】        図３
2005027416.tif 000002
【特許請求の範囲】
【請求項１】
本体ハウジングに対して着脱自在に構成され、前記本体ハウジングのソケットに嵌合するコネクタを備えたパラメータ設定ユニットにおいて、
パラメータ回路を収容したメインケースと、
前記メインケースの裏面に配置したコネクタと、
前記メインケースに一体に結合され、かつ分離可能なダミーケースと、
を備えることを特徴とするパラメータ設定ユニット。
【請求項２】
本体ハウジングに対して着脱自在に構成され、前記本体ハウジングのソケットに嵌合するコネクタを備えたパラメータ設定ユニットにおいて、
パラメータ回路を収容したメインケースと、
前記メインケースの裏面に配置されたコネクタと、
前記メインケースの表面側でスライド可能に保持された保護カバーと、
を備えることを特徴とするパラメータ設定ユニット。
【発明の詳細な説明】
【０００１】
【発明の属する技術分野】
この発明は、本体ハウジングに対して着脱自在に構成され、本体ハウジングのソケットに嵌合するコネクタを備えたパラメータ設定ユニットに関し、特に、本体ハウジングの所定のスペースに回転させながら着脱可能なパラメータ設定ユニットに関する。
【０００２】
【従来の技術】
近年、パワーエレクトロニクス，マイクロエレクトロニクスの急速な発達により、サーボモータやインバータによって可変速制御されるモータなどの用途が拡大し、多様化してきている。
【０００３】
これにともなって、モータ制御装置には多くの機能が要求され、しかもユーザ側で多岐にわたる機能のうち、自分に合った機能を簡単に選択できることが求められている。これらの要求に対し、メーカ側では例えばインバータ装置の場合であれば、出力周波数であるとか、ソフトスタート，ソフトダウンの時間設定であるとか、あるいは出力電圧の電圧／周波数パターン等々をパラメータとして選択できるように対応している。
【０００４】
パラメータ設定ユニットは、パラメータを選択して設定するためのパラメータ設定器の本体ハウジングに着脱自在に構成され、モータ制御装置に要求される機能に応じて、パラメータ設定器から所定の不揮発性のメモリなどを含むパラメータ回路に必要な制御データが記録され、かつモータ制御装置などに読み出すように構成されている。
【０００５】
図８は、従来のパラメータ設定ユニットをパラメータ設定器に装着した状態を示す側断面図である。
パラメータ回路を収容したメインケース１の裏面にはコネクタ２が設けられ、このコネクタ２と接続可能なソケット１０１がパラメータ設定器の本体ハウジング１００側に配置されている。コネクタ２をソケット１０１に確実に嵌め込んだり、簡単に取り外したりするためには、メインケース１の一端を支点にして、本体ハウジング１００の所定のスペース内で回転させながら着脱することが望ましい。しかし、パラメータ設定ユニットのメインケース１が小さいときには、パラメータ設定器への着脱時にコネクタ２を捻ってしまうと、パラメータ設定器側に配置したソケット１０１が抉られ、破損するおそれがある。
【０００６】
例えば、インバータ装置のパラメータ設定では、多機能パラメータ設定用のパラメータ回路を内蔵したパラメータ設定ユニットに対して、約１／２の大きさの簡易機能パラメータ設定ユニットが使われることがある。インバータ装置の運転条件パラメータを設定するパラメータ設定器には、所定の大きさの嵌め込みスペースが形成されていて、そこに複数のパラメータ設定ユニットを取り替えて装着することで、運転条件を簡単に切替えることができる。
【０００７】
図９は、小さいパラメータ設定ユニットを本体ハウジングのソケットから抜き取る状態を示す側断面図である。
簡易機能パラメータ設定ユニットでは、簡易機能パラメータ回路の大きさに応じた小さなメインケース３が用いられ、嵌め込みスペースの寸法合わせのために、本体ハウジング１００の所定のスペースにはダミーケース４が嵌め込まれる。この場合、ダミーケース４とメインケース３とは、各々独立して本体ハウジング１００に固定される。
【０００８】
ここで、メインケース３を回転させながら着脱するためには、支点からコネクタ２までの距離を大きく取ることが必要であった。しかし、小さいメインケース３の場合には、支点とコネクタ２との距離が大きく取れないから、パラメータ設定ユニットの着脱時に、コネクタ２の挿抜方向と平行にメインケース３を上下動させる必要があった。
【０００９】
【特許文献１】
特開平０９−２３７９９２号公報
【００１０】
【発明が解決しようとする課題】
従来技術においては、小さいメインケース３とダミーケース４の間には、パラメータ設定ユニットを本体ハウジング１００に着脱する際に指を挿入する隙間が設けられており、その見栄えが悪い。また、支点からコネクタ２までの距離を大きく取れば、メインケース３を回転操作により着脱することができるが、そのためには、簡易機能パラメータ設定ユニットであっても不必要にメインケース３の大きさを大きくしなければならないという問題が生じる。
【００１１】
このように、パラメータ設定ユニットを小さなメインケース３内に収容したものでは、支点とコネクタ２までの距離が小さくなるために、コネクタ２が本体ハウジング１００のソケット１０１を抉ってしまうおそれがあった。また、コネクタ２の挿抜方向と平行にパラメータ設定ユニットを着脱するためには、パラメータ設定ユニットの周囲に着脱操作を行なうための指を入れる空間を設ける必要があった。
【００１２】
この発明の目的は、外観を損なうことなく、かつ支点とコネクタの距離が小さなメインケースであっても、その回転操作により着脱可能なパラメータ設定ユニットを提供することにある。
【００１３】
【課題を解決するための手段】
上記目的を達成するために、本体ハウジングに対して着脱自在に構成され、前記本体ハウジングのソケットに嵌合するコネクタを備えたパラメータ設定ユニットが提供される。このパラメータ設定ユニットは、パラメータ回路を収容したメインケースと、前記メインケースの裏面に配置したコネクタと、前記メインケースに一体に結合され、かつ分離可能なダミーケースとから構成される。
【００１４】
また、パラメータ回路を収容したメインケースと、前記メインケースの裏面に配置されたコネクタと、前記メインケースの表面側でスライド可能に保持された保護カバーとから構成してもよい。
【００１５】
いずれのものでも、本体ハウジングとの着脱時に、支点からコネクタまでの距離が大きく構成されるので、本体ハウジングのソケットに対してコネクタの回転半径は大きくなるから、コネクタによる抉りが原因でソケットを破損するなどのおそれがなくなる。
【００１６】
【発明の実施の形態】
以下、この発明の実施形態について、図面を参照して説明する。
（第一の実施形態）
図１乃至図４は、第一の実施形態に係るパラメータ設定ユニットを示す図である。図１（ａ）は、一体に結合した状態のメインケースとダミーケースとを示す背面図、同図（ｂ）は同図（ａ）のａ−ａ線断面図、同図（ｃ）は正面図である。
【００１７】
パラメータ設定ユニットは、パラメータ回路５を収容するメインケースＭ１とダミーケースＤとから構成される。ダミーケースＤは、メインケースＭ１とほぼ同じ大きさに形成されている。
【００１８】
メインケースＭ１の表面には、最高周波数や加速時間等の運転用パラメータの設定データ、運転中の出力周波数等の運転状態モニタデータ、異常状態データ等を表示するためのＬＥＤ等から構成される表示器Ｌと、インバータ運転に関連するパラメータの設定あるいはインバータの運転、停止等を指令する操作ボタンＢとが設けられている。また、メインケースＭ１の下面には、２箇所に長溝６が設けられており、一方、ダミーケースＤの上面には、長溝６に対応する位置にＴ字突起７が設けてある。また、メインケースＭ１の長溝６の外側で、メインケースＭ１の下面から突起するように、それぞれ連結用の爪８が形成され、ダミーケースＤの対向位置には、一対の嵌合孔９が形成されている。
【００１９】
図２，図３は、それぞれメインケースＭ１をダミーケースＤと結合する様子を示す斜視図である。メインケースＭ１が、その長溝６をダミーケースＤのＴ字突起７に嵌合した状態でスライドして、メインケースＭ１の下面がダミーケースＤの上面と一致するまで移動したとき、爪８は嵌合孔９に噛み合って連結され、両者の位置がロックされる。
【００２０】
図３に示すように、メインケースＭ１の背面からは、パラメータ回路５に接続されるコネクタ２が突出している。また、メインケースＭ１の上面には、パラメータ設定ユニットを着脱する際の押圧板１０が形成されている。ダミーケースＤの下面には、爪１１が形成されている。
【００２１】
図４は、パラメータ設定ユニットを本体ハウジングから取り外す様子を示す側面断面図である。
パラメータ設定ユニットは、メインケースＭ１とダミーケースＤとが一体に連結された状態で本体ハウジング１００の所定のスペースに嵌め込まれ、コネクタ２がソケット１０１に嵌合している。コネクタ２をソケット１０１から抜き出す場合、メインケースＭ１の押圧板１０（図示せず）を作用点とし、メインケースＭ１から最も離れたダミーケースＤの下面を支点として回転させる。このとき、ダミーケースＤの下面の爪１１（図示せず）が、パラメータ設定器などの本体ハウジング１００に対して支点を構成する。
【００２２】
ここでは、パラメータ設定ユニットは、メインケースＭ１とダミーケースＤを一体に結合することにより、多機能パラメータ設定ユニットと同等の大きさになる。パラメータ設定器の本体ハウジング１００からパラメータ設定ユニットを取り外すときは、ダミーケースＤの一端を支点としてメインケースＭ１とダミーケースＤとを一体の状態で回転させている。この状態でパラメータ設定ユニットを回転着脱することによって、メインケースＭ１単体を回転着脱する場合に較べてコネクタ２の回転半径が大きくなり、コネクタ２を抉ることが防止できる。
【００２３】
（第二の実施の形態）
図５乃至図７は、第二の実施形態に係るパラメータ設定ユニットを示す図である。図５（ａ）は、保護カバーを備えたメインケースの平面図、同図（ｂ）は側面図、同図（ｃ）は底面図である。
【００２４】
パラメータ設定ユニットは、パラメータ回路５を収容するメインケースＭ２とその保護カバーＰとから構成される。保護カバーＰは、メインケースＭ２とほぼ同じ大きさの板体１２に、左右側面に湾曲するアーム１３を突出形成したものである。保護カバーＰのアーム１３の先端部分がメインケースＭ２の左右側面に形成されたガイド溝１４にそれぞれ嵌合しつつ、板体１２をメインケースＭ２の表面で、上下方向にスライド可能に支持している。
【００２５】
板体１２の下端部には爪１５が形成され、メインケースＭ２を回転着脱する際には、パラメータ設定器などの本体ハウジング１００に対して支点を構成するものである。
【００２６】
図６は、図５のパラメータ設定ユニットの斜視図、図７は、パラメータ設定ユニットを本体ハウジングから取り外す様子を示す側面断面図である。
図７に示すように、回転着脱時には、保護カバーＰをメインケースＭ２の下方にスライドして引き出すことにより、パラメータ設定ユニットの回転着脱の支点位置が、コネクタ２から離れた位置に置くことが可能となる。すなわち、第一の実施形態のものと同様に、保護カバーＰを引き出した状態で、本体ハウジング１００に装着し、あるいは離脱すれば、そのようなメインケースＭ２の回転着脱時にコネクタ２の抉りを防止できる。
【００２７】
上述した２つの実施形態では、いずれも多機能パラメータ設定ユニットと比較して、約１／２の大きさの簡易機能パラメータ設定ユニットにダミーケースＤを結合し、あるいは保護カバーＰを引き出した状態で着脱することにより、簡易機能パラメータ設定ユニットを構成するメインケースＭ１、Ｍ２が多機能パラメータ設定ユニットと同一の回転操作によって、パラメータ設定器の本体ハウジング１００に対して着脱可能となることを示している。
【００２８】
なお、ダミーケースＤはメインケースＭ１から分離でき、或いは保護カバーＰはメインケースＭ２に収納可能である。したがって、モータ制御装置などを遠隔操作する遠隔パラメータ設定ユニットとして単体で使用する場合には、ダミーケースＤをメインケースＭ１から取り外し、或いはメインケースＭ２に保護カバーＰを収納することによって、それぞれコンパクトなパラメータ設定ユニットとしても使用することができる。
【００２９】
【発明の効果】
以上に説明したように、この発明のパラメータ設定ユニットでは、メインケースにダミーケースを結合して、回転着脱時におけるコネクタから支点までの距離を延長したので、ダミーケースのメインケースとの結合面と反対側の角部が新たな支点となり、メインケースと一体に回転するから、この支点までの距離を十分大きく取ることができ、メインケースの底面に配置したコネクタを抉ることなくパラメータ設定ユニットの着脱操作が可能となる。
【００３０】
また、この発明の別のパラメータ設定ユニットでは、メインケースに保護カバーを結合して、回転着脱時におけるコネクタから支点までの距離を延長したので、同様に、メインケースの底面に配置したコネクタを抉ることなくパラメータ設定ユニットの着脱操作が可能となる。
【図面の簡単な説明】
【図１】（ａ）（ｂ）（ｃ）は、それぞれ第一の実施形態に係るパラメータ設定ユニットを示す背面図、ａ−ａ線断面図、及び正面図である。
【図２】第一の実施形態に係るパラメータ設定ユニットの結合状態を示す正面斜視図である。
【図３】第一の実施形態に係るパラメータ設定ユニットの結合状態を示す背面斜視図である。
【図４】パラメータ設定ユニットを本体ハウジングから取り外す様子を示す側面断面図である。
【図５】（ａ）（ｂ）（ｃ）は、それぞれ第二の実施形態に係るパラメータ設定ユニットを示す平面図、側面図、及び底面図である。
【図６】第二の実施形態に係るパラメータ設定ユニットのスライドする保護カバーを示す斜視図である。
【図７】パラメータ設定ユニットを本体ハウジングから取り外す様子を示す側面断面図である。
【図８】従来のパラメータ設定ユニットをパラメータ設定器に装着した状態を示す側断面図である。
【図９】小さいパラメータ設定ユニットを本体ハウジングのソケットから抜き取る状態を示す側断面図である。
【符号の説明】
Ｍ１  メインケース
Ｄ  ダミーケース
１００  本体ハウジング
１０１  ソケット
２  コネクタ
５  パラメータ回路
６  長溝
７  Ｔ字突起
８  爪
９  嵌合孔
１０  押圧板
１１  爪
Ｐ  保護カバー
１２  板体
１３  アーム
１４  ガイド溝
１５  爪
【図１】
2005027416.tif 000003
【図２】
2005027416.tif 000004
【図３】
2005027416.tif 000005
【図４】
2005027416.tif 000006
【図５】
2005027416.tif 000007
【図６】
2005027416.tif 000008
【図７】
2005027416.tif 000009
【図８】
2005027416.tif 000010
【図９】
2005027416.tif 000011